(57)【要約】【課題】  取付箇所に応じた専用の連結具を不要とすること、特に荷重の掛かる横材を支柱と強固に連結できるようにすること。【解決手段】  連結具本体１と接続具２とを備え、連結具本体は、下方に突出して設けた支柱１０への挿入部３と、側方に突出して設けた梁８への挿入部４と、梁への挿入部の突出方向に直角な２側面に少なくとも設けてあり且つ接続具を取付自在な接続具取付部５ａ，５ｂとを有し、接続具２は、梁と直角に配置される桁９ａとの連結部６ａ，６ｂと接続具取付部との固定部７を有し、取付箇所に応じて少なくとも１つの接続具２を接続具取付部５ａ，５ｂに取付けてある。接続具２は、固定部７を梁８と桁９ａ，９ｂのうちの一の横材の側面に固定し、連結部６ａ，６ｂを他の横材に挿入する使い方も選択でき、これにより横材同士を直角に連結することもできる。【選択図】      図１
2009287319.tif 000002
【特許請求の範囲】
【請求項１】
連結具本体と接続具とを備え、連結具本体は、下方に突出して設けた支柱への挿入部と、側方に突出して設けた第１横材への挿入部と、第１横材への挿入部の突出方向に直角な２側面に少なくとも設けてあり且つ接続具を取付自在な接続具取付部とを有し、接続具は、第１横材と直角に配置される第２横材との連結部と接続具取付部との固定部を有し、取付箇所に応じて少なくとも１つの接続具を接続具取付部に取付けてあることを特徴とする連結具。
【請求項２】
接続具は、上下２箇所の連結部と両連結部を繋ぐ固定部とを有する略コ字状であり、固定部を接続具取付部に固定し連結部を第２横材に挿入すること及び固定部を一の横材の側面に固定し連結部を他の横材に挿入することの何れかを選択できるものであることを特徴とする請求項１記載の連結具。
【請求項３】
連結具本体と接続具とを備え、連結具本体は、下方に突出して設けた支柱への挿入部と、複数の側面に設けてあり且つ接続具を取付自在な接続具取付部とを有し、接続具は、上下２箇所の連結部と両連結部を繋ぐ固定部とを有する略コ字状であり、固定部を接続具取付部に固定し連結部を横材に挿入すること及び固定部を一の横材の側面に固定し連結部を他の横材に挿入することの何れかを選択できるものであり、取付箇所に応じて少なくとも１つの接続具を接続具取付部に取付けてあることを特徴とする連結具。
【発明の詳細な説明】
【技術分野】
【０００１】
本発明は、簡易建物の構造材相互の連結に用いられる連結具に関する。
【背景技術】
【０００２】
テラスやカーポート等の簡易建物は、アルミ合金の押出形材で形成した支柱と梁等の横材とを連結具で連結して骨組みが形成されている。簡易建物には、場所によって支柱と横材とを単にＬ字形に連結するところ、横材だけを平面視Ｌ字形、Ｔ字形、十字形に交差して連結するところ、横材を平面視Ｌ字形、Ｔ字形、十字形に交差して連結し、さらに横材の交差部に支柱を連結するところがあり、これらの連結箇所毎にそれぞれ専用の連結具を使用しており、連結具の種類が多いためにコストが増大し、組立て作業も煩雑になっていた。
【０００３】
特許文献１には、ラック等を組立てる際に用いられる連結具として、棒状の構造材の端部が接続されるブロック状の接続部材と、接続部材と同サイズのブロック状の連結部材とからなり、連結部材の各面に接続部材を選択的に連結することで、構造材を２〜６方向に連結する様々な形態の継手を構成できるものが開示されている。簡易建物では、屋根を支える梁（特に梁が片持ちの場合）に強い荷重が掛かり、上記のような連結具を使用したとすると、梁と支柱の端部が接続される接続部材と、接続部材同士を連結する連結部材が別部材のため、強度が不足するおそれがある。しかも、接続部材と連結部材が共にブロック状であるため、連結具の重量が重くなる。  
【特許文献１】特開２０００−３０４０１８号公報
【発明の開示】
【発明が解決しようとする課題】
【０００４】
本発明は以上に述べた実情に鑑み、取付箇所に応じた専用の連結具を不要とすること、特に荷重の掛かる横材を支柱と強固に連結できるようにすることを目的とする。
【課題を解決するための手段】
【０００５】
上記の課題を達成するために請求項１記載の発明による連結具は、連結具本体と接続具とを備え、連結具本体は、下方に突出して設けた支柱への挿入部と、側方に突出して設けた第１横材への挿入部と、第１横材への挿入部の突出方向に直角な２側面に少なくとも設けてあり且つ接続具を取付自在な接続具取付部とを有し、接続具は、第１横材と直角に配置される第２横材との連結部と接続具取付部との固定部を有し、取付箇所に応じて少なくとも１つの接続具を接続具取付部に取付けてあることを特徴とする。なお、第１横材と第２横材は、前後方向と左右方向に配置される２方向の横材のうち、荷重がより掛かる方の横材を第１横材とするものである。
【０００６】
請求項２記載の発明による連結具は、請求項１記載の発明の構成に加え、接続具は、上下２箇所の連結部と両連結部を繋ぐ固定部とを有する略コ字状であり、固定部を接続具取付部に固定し連結部を第２横材に挿入すること及び固定部を一の横材の側面に固定し連結部を他の横材に挿入することの何れかを選択できるものであることを特徴とする。
【０００７】
請求項３記載の発明による連結具は、連結具本体と接続具とを備え、連結具本体は、下方に突出して設けた支柱への挿入部と、複数の側面に設けてあり且つ接続具を取付自在な接続具取付部とを有し、接続具は、上下２箇所の連結部と両連結部を繋ぐ固定部とを有する略コ字状であり、固定部を接続具取付部に固定し連結部を横材に挿入すること及び固定部を一の横材の側面に固定し連結部を他の横材に挿入することの何れかを選択できるものであり、取付箇所に応じて少なくとも１つの接続具を接続具取付部に取付けてあることを特徴とする。
【発明の効果】
【０００８】
請求項１記載の発明による連結具は、前後方向と左右方向の２方向の横材のうちで荷重がより掛かる方の横材（第１横材）と支柱とに連結具本体の挿入部を挿入することで、第１横材と支柱とを強固に連結できると共に、連結具本体は少なくとも第１横材への挿入部の突出方向に直角な２側面に、接続具を取付自在な接続具取付部を有しているので、必要に応じて接続具取付部に接続具の固定部を固定し、接続具の連結部に第１横材と直角に配置される第２横材を連結することができ、連結具本体と接続具の２種類の部材で支柱と横材との多様な連結形態に対応できる。
【０００９】
さらに請求項２記載の発明による連結具は、接続具が上下２箇所の連結部と両連結部を繋ぐ固定部とを有する略コ字状であるため、材料の無駄を省いて軽量化しながら横材を確実に連結できる。また接続具は、固定部を接続具取付部に固定し連結部を第２横材に挿入すること及び固定部を一の横材の側面に固定し連結部を他の横材に挿入することの何れかを選択できるものであるため、接続具により第２横材を連結具本体に連結できるばかりでなく、横材同士を直角に連結することもできる。
【００１０】
請求項３記載の発明による連結具は、連結具本体の挿入部を支柱に挿入し、連結具本体の複数の側面に設けてある接続具取付部に必要に応じて接続具の固定部を固定し、接続具の連結部を横材に挿入して固定することで、支柱に横材を一本だけ連結したり、横材を平面視Ｌ字形やＴ字形、十字形の交差状に連結することができ、連結具本体と接続具の２種類の部材で支柱と横材との多様な連結形態に対応できる。また接続具は、上下２箇所の連結部と両連結部を繋ぐ固定部とを有する略コ字状であるため、材料の無駄を省いて軽量化しながら横材を確実に連結できる。さらに接続具は、固定部を接続具取付部に固定し連結部を横材に挿入すること及び固定部を一の横材の側面に固定し連結部を他の横材に挿入することの何れかを選択できるものであるため、接続具により横材を連結具本体に連結できるばかりでなく、横材同士を直角に連結することもできる。
【発明を実施するための最良の形態】
【００１１】
以下、本発明の実施の形態を図面に基づいて説明する。図９〜１１は、本発明の連結具を用いて組立てられる簡易建物の一形態を示している。本簡易建物は、例えばカーポートとして用いられるものであり、図９に示すように、複数の梁８，８，…が水平に且つ前後方向に間隔をおいて平行に配置され、各梁８の左側端部を支柱１０の上端部に連結してある。支柱１０と梁８との連結部間には桁９ａが架設してある。梁８の右側端部間にも桁９ｂが架設してある。屋根１２は、図１０，１１に示すように、梁８上に載置して固定してある。支柱１０間には側面パネル１３を取付けてある。梁８と桁９ａ，９ｂは、同一な縦長の長方形断面のアルミ製中空押出形材を使用しており、支柱１０は一辺の長さが梁８及び桁９ａ，９ｂの幅寸法と同一な正方形断面のアルミ製中空押出形材を使用している。梁８と桁９ａ，９ｂと支柱１０の各面には、アリ溝１４が長手方向に沿って複数形成してあり、当該アリ溝１４を利用して屋根１２を梁８に固定したり側面パネル１３を支柱１０に固定したりしている。
【００１２】
図９のＡ部における支柱１０と梁８と桁９ａとの連結は、図１に示す連結具１５ａにより行っている。連結具１５ａは、連結具本体１ａと接続具２とで構成されている。連結具本体１ａはアルミの鋳物で形成され、図１と図７に示すように、下方に突出して設けた支柱１０への挿入部３と、側方に突出して設けた梁８への挿入部４と、両挿入部３，４を繋ぐ柱状部１６とを有している。支柱１０への挿入部３は、支柱１０内に嵌合する筒状に形成してあり、挿入部３を支柱１０に差し込んでボルト１７により固定される。梁８への挿入部４は、梁８内に嵌合する筒状に形成してあり、挿入部４を梁８に差し込んでボルト１８により固定される。柱状部１６は角柱状に形成してあって、前後面が接続具取付部５ａ，５ｂとなっており、接続具取付部５ａ，５ｂには接続具取付用のボルト１９が捩じ込まれる雌ネジ孔２０が形成してあり、前面の接続具取付部５ａに接続具２をボルト１９で取付けている。なお、前後面に加えて挿入部４と反対側の側面も接続具取付部とすることができる。
接続具２は、図１，８に示すように、アルミの鋳物で上下２箇所の連結部６ａ，６ｂと両連結部を繋ぐ固定部７とを有する略コ字状に形成してあり、固定部７を連結具本体１ａの接続具取付部５ａにボルト１９で固定した後、連結部６ａ，６ｂを桁９ａの内部に挿入してボルト２１で固定することで、桁９ａが柱状部１６に連結される。
【００１３】
図２は、図９のＢ部における支柱１０と梁８と桁９ａ，９ａとの連結部を示している。ここでは、柱状部１６の前後面に形成された接続具取付部５ａ，５ｂに接続具２，２を取付け、各接続具２に桁９ａをそれぞれ連結している。
【００１４】
図３は、図９のＣ部における梁８と桁９ｂとの連結部を示している。ここでは、上述の連結具１５ａに用いている接続具２と同一の接続具２を用い、接続具２の固定部７を梁８の前側の側面にボルト１９で固定し、連結部６ａ，６ｂを桁９ｂに挿入してボルト２１で固定することで、梁８と桁９ｂとを交差状に連結している。梁８の小口は、図示しないキャップにより塞がれる。なお、Ｃ部における梁８と桁９ｂとの連結は、図４に示すように、桁９ｂの側面に接続具２を取付けた上で、接続具２の連結部６ａ，６ｂを梁８内に挿入してボルト２１で固定するようにしてもよい。
【００１５】
図５は、図９のＤ部における梁８と桁９ｂ，９ｂとの連結部を示している。ここでは、梁８の前後両側の側面に接続具２をそれぞれ取付け、各接続具２の連結部６ａ，６ｂを桁９ｂに挿入してボルト２１で固定している。なお、Ｄ部における梁８と桁９ｂ，９ｂとの連結は、図６に示すように、各桁９ｂの端部側面に接続具２をそれぞれ取付けた上で、接続具２の連結部６ａ，６ｂを梁８内に挿入してボルト２１で固定するようにしてもよい。
【００１６】
以上に述べたように、本簡易建物は、連結具本体１ａと接続具２の２種類の部材だけで、簡易建物の構造材相互の連結を全て行うことができ、連結態様に応じた連結具を個々に製作する必要がないため、コストを削減できると共に、組立て作業を簡単に行うことができる。また、連結具本体１ａに支柱１０への挿入部３と梁８への挿入部４が一体に形成してあるため、屋根１２を支える梁８の端部を支柱１０と強固に連結できる。さらに、接続具２を連結部６ａ，６ｂと固定部７を有するコ字状としたので、材料の無駄を省いて軽量化しながら梁８及び桁９ａ，９ｂを確実に連結できる。連結具本体１ａも中空状に形成してあるので、連結具１５ａ全体としても軽量化できる。
【００１７】
屋根１２は、梁８上に載置するのではなく、図１２に示すように、梁８と桁９ａ，９ｂとで形成される開口部の内側に取付けることもできる。
【００１８】
図１３は、本発明の連結具を用いて組立てられる簡易建物の別の形態を示している。本簡易建物は、梁８の両端部に支柱１０を連結し、梁８を両端支持したものとなっている。図中のＥ部における支柱１０と梁８と桁９ａ又は９ｂとの連結は、図１と同様に行っており、図中のＦ部における支柱１０と梁８と桁９ａ又は９ｂとの連結は、図２と同様に行っている。すなわち、連結具本体１ａと接続具２の２種類の部材を使用することで、梁８を片持ち支持する場合と両端支持する場合の何れにも対応できる。
【００１９】
図１４は、本発明の連結具を用いて組立てられる簡易建物のさらに別の形態を示している。本簡易建物は、前後方向の横材１１ａと左右方向の横材１１ｂが格子状に配置してあり、横材１１ａ，１１ｂの各交差部に支柱１０の上端部を連結している。
Ｇ部における支柱１０と横材１１ａ，１１ｂとの連結は、図１５に示す連結具１５ｂにより行っている。連結具１５ｂは、連結具本体１ｂと接続具２とで構成されている。連結具本体１ｂはアルミの鋳物で形成され、図１５と図１８に示すように、下方に突出して設けた支柱１０への挿入部３と、柱状部１６とを有している。支柱１０への挿入部３は、支柱１０内に嵌合する筒状に形成してあり、挿入部３を支柱１０に差し込んでボルト１７により固定される。柱状部１６は、正方形の角柱状に形成され、周囲の４面が接続具取付部５ａ，５ｂ，５ｃ，５ｄとなっており、接続具取付部５ａ，５ｂ，５ｃ，５ｄには接続具取付用のボルト１９が捩じ込まれる雌ネジ孔２０が形成してあり、前面と右側面の接続具取付部５ａ，５ｂに接続具２をボルト１９で取付けている。
接続具２は、先に説明した連結具１５ａのものと同一のコ字状の部材であり、固定部７を連結具本体１ｂの接続具取付部５ａ，５ｂにボルト１９で固定した後、連結部６ａ，６ｂを横材１１ａ，１１ｂの内部に挿入してボルト２１で固定することで、横材１１ａ，１１ｂが２方向から柱状部１６に連結される。
【００２０】
図１６は、図１４のＨ部における支柱１０と横材１１ａ，１１ｂとの連結部を示している。ここでは、柱状部１６の前後面と右側面の接続具取付部５ａ，５ｂ，５ｃに接続具２を取付け、接続具２を利用して柱状部１６に３方向から横材１１ａ，１１ｂを連結している。図１４のＩ部における支柱１０と横材１１ａ，１１ｂとの連結は、接続具２を取付ける面が異なるだけで、図１６と同様に柱状部１６に横材を３方向から連結している。
【００２１】
図１７は、図１４のＪ部における支柱１０と横材１１ａ，１１ｂとの連結部を示している。ここでは、柱状部１６の周囲の４面に形成された接続具取付部５ａ，５ｂ，５ｃ，５ｄの全てに接続具２を取付け、接続具２を利用して柱状部１６に４方向から横材１１ａ，１１ｂを連結している。
【００２２】
以上に述べたように、本連結具１５ｂは連結具本体１ｂと接続具２とで構成され、連結具本体１ｂに支柱１０への挿入部３と、周囲の４面に接続具取付部５ａ，５ｂ，５ｃ，５ｄが形成された柱状部１６を有し、使用する箇所に応じて接続具取付部５ａ，５ｂ，５ｃ，５ｄに接続具２を選択的に取付けることで、支柱１０に横材１１ａ，１１ｂを２方向、３方向、４方向から連結できる。接続具２は、連結部６ａ，６ｂと固定部７を有するコ字状としたので、材料の無駄を省いて軽量化しながら横材１１ａ，１１ｂを連結具本体１ｂに確実に連結できる。連結具本体１ｂも中空状に形成してあるので、連結具１５ｂ全体としても軽量化できる。また接続具２は、横材１１ａ，１１ｂの端部を連結具本体１ｂに連結できるばかりでなく、図３〜図６に示すように、固定部７を一の横材１１ａ（又は１１ｂ）の側面に固定し、連結部６ａ，６ｂを他の横材１１ｂ（又は１１ａ）に挿入してボルト２１で固定することで、横材１１ａ，１１ｂ同士を直角に連結することもできる。
【００２３】
図９，１３の形態の簡易建物に図１５，１６に示す連結具本体１ｂを使用し（特に屋根１２が梁８及び桁９ａ，９ｂの内側に取付けられる場合）、図１４の形態の簡易建物に、図１に示すような横材への挿入部４が形成された連結具本体１ａを使用することもできる。すなわち、２種類の連結具本体１ａ，１ｂと１種類の接続具２を用意しておけば、図９，１３，１４の何れの形態の簡易建物でも構築できる。
【００２４】
本発明は以上に述べた実施形態に限定されない。接続具は、コ字状のものに限らず、直方体のブロック状のものであってもよい。実施形態のものは、梁や横材が長方形断面で支柱が正方形断面であったが、梁と横材と支柱が何れも正方形断面であってもよい。
【図面の簡単な説明】
【００２５】
【図１】図９のＡ部を拡大して示す分解斜視図である。
【図２】図９のＢ部を拡大して示す分解斜視図である。
【図３】図９のＣ部を拡大して示す分解斜視図である。
【図４】図９のＣ部の他の連結態様を示す分解斜視図である。
【図５】図９のＤ部を拡大して示す分解斜視図である。
【図６】図９のＤ部の他の連結態様を示す分解斜視図である。
【図７】（ａ）は図１，２の連結具に用いている連結具本体の正面図であり、（ｂ）は同側面図、（ｃ）は同底面図である。
【図８】（ａ）は図１，２の連結具に用いている接続具の正面図であり、（ｂ）は同側面図、（ｃ）は同底面図である。
【図９】簡易建物の一形態を概略的に示す斜視図である。
【図１０】（ａ）は同簡易建物の平面図であり、（ｂ）は同簡易建物の側面図、（ｃ）は同簡易建物の正面図である。
【図１１】図１０のＡ−Ａ断面図である。
【図１２】屋根の取り付け方の他の例を示す縦断面図である。
【図１３】簡易建物の別の形態を概略的に示す斜視図である。
【図１４】簡易建物のさらに別の形態を概略的に示す斜視図である。
【図１５】図１４のＧ部を拡大して示す分解斜視図である。
【図１６】図１４のＨ部を拡大して示す分解斜視図である。
【図１７】図１４のＪ部を拡大して示す分解斜視図である。
【図１８】（ａ）は図１５〜１７の連結具に用いている連結具本体の正面図であり、（ｂ）は同側面図、（ｃ）は同底面図である。
【符号の説明】
【００２６】
１ａ，１ｂ  連結具本体  
２  接続具
３  支柱への挿入部
４  梁（第１横材）への挿入部
５ａ，５ｂ，５ｃ，５ｄ  接続具取付部
６ａ，６ｂ  連結部
７  固定部
８  梁（第１横材）
９ａ，９ｂ  桁（第２横材）
１０  支柱
１１ａ，１１ｂ  横材
１５ａ，１５ｂ  連結具
【図１】
2009287319.tif 000003
【図２】
2009287319.tif 000004
【図３】
2009287319.tif 000005
【図４】
2009287319.tif 000006
【図５】
2009287319.tif 000007
【図６】
2009287319.tif 000008
【図７】
2009287319.tif 000009
【図８】
2009287319.tif 000010
【図９】
2009287319.tif 000011
【図１０】
2009287319.tif 000012
【図１１】
2009287319.tif 000013
【図１２】
2009287319.tif 000014
【図１３】
2009287319.tif 000015
【図１４】
2009287319.tif 000016
【図１５】
2009287319.tif 000017
【図１６】
2009287319.tif 000018
【図１７】
2009287319.tif 000019
【図１８】
2009287319.tif 000020